(57)【要約】【課題】掘削や土止めなどの工事において、排土量の削減、コストの低減、および工期短縮を図ることが可能な建物の杭基礎構造を提供する。【解決手段】基礎梁６や基礎柱５、底版７を備えて地下空間Ｓを区画形成する地下躯体部分４に、フーチング９ｂ、９ｃが付設された建物Ｂの杭基礎構造において、フーチングが地下躯体部分と一体的に、かつ当該地下躯体部分の底面と面一に構築される。フーチングは、地下空間に設けられる設備の支持位置に対応させて地下躯体部分より内方へ突出される。【選択図】図１
2006233630.tif 000002
【特許請求の範囲】
【請求項１】
基礎梁や基礎柱、底版を備えて地下空間を区画形成する地下躯体部分に、フーチングが付設された建物の杭基礎構造において、
上記フーチングが上記地下躯体部分と一体的に、かつ当該地下躯体部分の底面と面一に構築されることを特徴とする建物の杭基礎構造。
【請求項２】
前記フーチングは、前記地下空間に設けられる設備の支持位置に対応させて前記地下躯体部分より内方へ突出されることを特徴とする請求項１に記載の建物の杭基礎構造。
【請求項３】
前記地下躯体部分は、逆梁式の基礎小梁を有し、該基礎小梁に前記設備が支持されることを特徴とする請求項２に記載の建物の杭基礎構造。
【発明の詳細な説明】
【技術分野】
【０００１】
本発明は、掘削や土止めなどの工事において、排土量の削減、コストの低減、および工期短縮を図ることが可能な建物の杭基礎構造に関する。
【背景技術】
【０００２】
従来、建物の基礎構造の一部などにフーチングと呼ばれる拡大部あるいは板状の下部構造が用いられている。上方からの応力は、このフーチングを介して下方の地中などへ拡散されて伝達される。例えば、杭基礎の建物においては、基礎杭の杭頭上端面と１階柱の柱脚部との間、あるいは杭頭上端面と基礎梁の下端部との間の接合部分などにフーチングが設けられる。
【０００３】
特許文献１に開示された技術は、軟弱地盤における建物の基礎工法に関するものであって、軟弱地盤の地表面から、基礎杭の上端に設けるフーチングの上面までの深さが、将来予想される地盤沈下量以上となるように、軟弱地盤から下層の硬質地盤に基礎杭を打設し、基礎杭の上端にフーチングを設けて、フーチングの上に柱を立設し、かつ、フーチングの上方を除く軟弱地盤の地表面にコンクリートを打設し、さらにフーチングの上方の埋設空間を除去可能な埋め込み材で埋めている。
【特許文献１】特開２００１−３４８８８６号公報
【発明の開示】
【発明が解決しようとする課題】
【０００４】
ところで従来、図２に示すように、建物Ｂの地下に付設的に、例えば受水槽Ｒのような設備を設置するための地下空間Ｓが構築される場合があった。図２は、基礎杭９０ａ〜９０ｄによる杭基礎構造の建物Ｂであって、地下空間Ｓを区画形成する躯体部分（以下、地下躯体部分という）９１は、その四隅に立設される基礎柱９２と、基礎柱９２同士の間に構築されて地下空間Ｓの四方を囲繞する外壁を形成する基礎梁９３と、地下空間Ｓの底面をなす底版９４とから一体的に構成される。これら基礎柱９２や基礎梁９３、および底版９４は建物Ｂの構造躯体としても機能している。
【０００５】
また、地下躯体部分９１の四隅には、フーチング９５ｂ、９５ｃが付設されている。これら地下躯体部分９１に設けられるフーチング９５ｂ、９５ｃは、基礎柱９２の下部と基礎杭９０ｂ、９０ｃの杭頭との間の部分に構築され、その下面側は基礎杭９０ｂ、９０ｃの杭頭と、互いに接合されており、上部は基礎柱９２や基礎梁９３、底版９４と一体的に構築されている。これらのフーチング９５ｂ、９５ｃは、基礎柱９２や基礎杭９０ｂ、９０ｃの水平断面より大きな断面積を有する。
【０００６】
また、建物Ｂの、地下空間Ｓが構築される根切りした部分以外の地盤Ｇに打設される基礎杭９０ａ、９０ｄの杭頭上面にも、上記と同様のフーチング９５ａ、９５ｄが設けられ、これらのフーチング９５ａ、９５ｄの上部には１階柱９６ａ、９６ｄが一体的に立設される。また、各基礎柱９２の上端にも１階柱が一体的に立設される。また、地下空間Ｓが構築される部分以外の地盤Ｇ上、および地下空間Ｓの天井部分には１階床スラブ９７が構築される。また、地下躯体部分９１の底版９４の上面には逆梁式の基礎小梁９８が４本設けられる。これらの基礎小梁９８は、建物Ｂの構造躯体としても機能する一方で、地下空間Ｓに設けられた受水槽Ｒを、架台Ｋを介して支持する受水槽基礎としても兼用されている。
【０００７】
ところがこのような従来の技術にあっては、地下躯体部分９１に設けられるフーチング９５ｂ、９５ｃは、地下躯体部分９１から突出していた。すなわち、フーチング９５ｂ、９５ｃの底面は、底版９４の下面よりも下方に位置していた。その結果、地下空間Ｓを構築する施工の際、フーチング９５ｂ、９５ｃが設けられる箇所においては、地下躯体部分９１の底面レベルよりも深く、すなわちフーチング９５ｂ、９５ｃの底面レベルまで掘削を行う必要があり、かつまた土止め壁の構築を行う必要があった。その結果、掘削時の排土量も増大し、土止め壁構築のためのコストも大きくなり、かつまたそれらの施工にかかる工期も長くなってしまうという課題があった。
【０００８】
本発明は上記従来の課題に鑑みて創案されたものであって、掘削や土止めなどの工事において、排土量の削減、コストの低減、および工期短縮を図ることが可能な建物の杭基礎構造を提供することを目的とする。
【課題を解決するための手段】
【０００９】
本発明にかかる建物の杭基礎構造は、基礎梁や基礎柱、底版を備えて地下空間を区画形成する地下躯体部分に、フーチングが付設された建物の杭基礎構造において、上記フーチングが上記地下躯体部分と一体的に、かつ当該地下躯体部分の底面と面一に構築されることを特徴とする。
【００１０】
また、前記フーチングは、前記地下空間に設けられる設備の支持位置に対応させて前記地下躯体部分より内方へ突出されることを特徴とする。
【００１１】
また、前記地下躯体部分は、逆梁式の基礎小梁を有し、該基礎小梁に前記設備が支持されることを特徴とする。
【発明の効果】
【００１２】
本発明にかかる建物の杭基礎構造にあっては、掘削や土止めなどの工事において、排土量の削減、施工コストの低減、および工期短縮を図ることが可能である。
【発明を実施するための最良の形態】
【００１３】
以下に、本発明にかかる建物の杭基礎構造の好適な一実施形態を、添付図面を参照して詳細に説明する。本実施形態にかかる建物Ｂの杭基礎構造は、図１にその要部を示すように、地中に打設される基礎杭１ａ〜１ｄや、各基礎杭１ａ〜１ｄの上方に立設される１階柱２ａ〜２ｄや、これら基礎杭１ａ〜１ｄや１階柱２ａ〜２ｄを水平方向に一体化するように地盤Ｇ上に打設される１階床スラブ３などから構成されている。地盤Ｇの一部は掘削され根切りされて、そこには地下空間Ｓを区画形成するための地下躯体部分４が構築されている。
【００１４】
地下空間Ｓを形成すべく根切りされた部分の地盤Ｇの四隅には基礎杭１ｂ、１ｃが打設されており、地下躯体部分４は、これら根切り部分の基礎杭１ｂ、１ｃの上方に立設される基礎柱５と、基礎柱５同士の間に構築されて地下空間Ｓの四方を囲繞する外壁を形成する基礎梁６と、地下空間Ｓの底面をなす底版７とから一体的に構成される。これら基礎柱５や基礎梁６、および底版７は建物Ｂの構造躯体としても機能している。なおここで「基礎柱」とは、建築物の構造体の地中部分に立設されて、基礎梁と接合される柱をいう。
【００１５】
底版７の上面には、逆梁式の基礎小梁８が、それぞれ基礎梁６間に渡して立設されている。これら基礎小梁８の上面は、互いにおよそ同一レベルに形成されており、その上に、鉄骨材などからなる架台Ｋを介し、地下空間Ｓに設けられる設備としての受水槽Ｒが載置されている。すなわちこれら基礎小梁８は、建物Ｂの構造躯体として機能する一方で、受水槽Ｒの基礎としても兼用されている。
【００１６】
各基礎杭１ａ〜１ｄの杭頭にはいずれも、基礎柱５や基礎杭１ａ〜１ｄの水平断面より断面積の大きい拡大部であるフーチング９ａ〜９ｄが構築されている。建物Ｂの上方からの応力は、これらのフーチング９ａ〜９ｄを介して下方の地中などへ拡散されて伝達される。根切り部分以外の地盤Ｇに打設された基礎杭１ａ、１ｄの杭頭には、互いに接合されてフーチング９ａ、９ｄが構築されており、これらのフーチング９ａ、９ｄの上部には１階柱２ａ、２ｄの柱脚部が一体的に立設されている。他方、根切り部分の四隅の地中に打設された基礎杭１ｂ、１ｃの杭頭にもフーチング９ｂ、９ｃが構築されるが、これら地下躯体部分４に設けられるフーチング９ｂ、９ｃは、基礎柱５や基礎梁６、および底版７と一体的に構築されている。
【００１７】
後者の、地下躯体部分４に付設されるフーチング９ｂ、９ｃの底面は、底版７の下面、すなわち地下躯体部分４の底面と面一に構築されている。他方、これらのフーチング９ｂ、９ｃの上面は、底版７の上面よりも上方へ突出しており、基礎小梁８の上面と略同一レベルに形成されている。
【００１８】
また、これらのフーチング９ｂ、９ｃの外側面は、基礎梁６の外側面、すなわち地下躯体部分４の外側面と面一に構築されている。他方、これらのフーチング９ｂ、９ｃの内側は、受水槽Ｒの支持位置に対応させて、すなわち受水槽Ｒが載置される架台Ｋを支持すべく、地下躯体部分４の内方へ突出されており、その結果、建物Ｂの構造躯体としても機能する一方で、基礎小梁８とともに受水槽Ｒの基礎として兼用されている。
【００１９】
次に、本実施形態にかかる建物Ｂの杭基礎構造の施工方法について説明する。本実施形態の建物Ｂを構築するには、まず地下空間Ｓを区画形成する地下躯体部分４を設ける箇所（根切り部分）の地盤の四隅、および根切り部分以外の地盤Ｇに基礎杭１ａ〜１ｄを打設し、全ての基礎杭１ａ〜１ｄの杭頭にフーチング９ａ〜９ｄを構築する。次に、根切り部分の周囲に土止め壁（図示省略）を構築する。次に、根切り部分を掘削（根切り）し、その後、根切り部分のフーチング９ｂ、９ｃの上部に一体的に、基礎柱５、基礎梁６、および底版７が構築される。底版７の上面には逆梁式の基礎小梁８が２本構築される。
【００２０】
基礎小梁８の上面、および地下躯体部分４のフーチング９ｂ、９ｃの上面には、架台Ｋを介して受水槽Ｒが載置される。また、地盤Ｇ上には１階床スラブ３が打設され、根切り部分以外のフーチング９ａ、９ｄの上部、および基礎柱５の上部には１階柱２ａ〜２ｄの柱脚部が一体的に立設される。
【００２１】
以上説明したように、本実施形態にかかる建物Ｂの杭基礎構造にあっては、基礎梁６や基礎柱５、底版７を備えて地下空間Ｓを区画形成する地下躯体部分４に付設されるフーチング９ｂ、９ｃが、地下躯体部分４と一体的にかつ地下躯体部分４の底面と面一に構築されることとしたので、これらのフーチング９ｂ、９ｃが地下躯体部分４よりも下方に突出しない構造となっている。その結果、フーチング９ｂ、９ｃが設けられる箇所においても、地下躯体部分４の底面レベルよりも深い位置まで、掘削や土止め壁の構築を行う必要がないため、掘削時の排土量の削減や、土止め壁にかかるコストの低減、および工期短縮を図ることが可能である。
【００２２】
他方、地下空間Ｓの水平方向について見てみると、本実施形態にかかる建物Ｂの杭基礎構造では、フーチング９ｂ、９ｃが地下躯体部分４の外側面と面一に構築されることとしたので、フーチング９ｂ、９ｃの箇所においても、地下躯体部分４の外側面よりも外方まで掘削や土止め壁の構築を行う必要がないため、それらの工事が容易であるとともに、掘削時の排土量の削減や、土止めにかかるコストの低減、および工期短縮を図ることが可能である。
【００２３】
また、フーチングは、地下空間Ｓに設けられる設備である受水槽Ｒの支持位置に対応させて、これを支持するように地下躯体部分４より内方へ突出されることとしたので、受水槽Ｒの基礎として兼用することができる。その結果、基礎小梁８などにかかるコストの低減を図ることが可能であるとともに、比較的重量の大きい設備である受水槽Ｒに対する、より強固な基礎を構築することが可能となる。
【００２４】
また、地下躯体部分４は、底版７の上面に逆梁式の基礎小梁８を有し、基礎小梁８に受水槽Ｒが支持されることとしたので、構造躯体である基礎小梁８を受水槽Ｒの基礎として兼用することができる。その結果、図２に示したような従来技術に比して、コストを増大させることなく、比較的重量の大きい設備である受水槽Ｒに対する、遜色のない強固な基礎を構築することが可能となる。
【図面の簡単な説明】
【００２５】
【図１】本発明の一実施形態を示す、建物Ｂの杭基礎構造の要部縦断面図である。
【図２】従来の建物Ｂの杭基礎構造を示す要部縦断面図である。
【符号の説明】
【００２６】
４  地下躯体部分
５  基礎柱
６  基礎梁
７  底版
８  基礎小梁
９ｂ、９ｃ  フーチング
Ｂ  建物
Ｒ  受水槽
Ｓ  地下空間
【図１】
2006233630.tif 000003
【図２】
2006233630.tif 000004